(57)【特許請求の範囲】
【請求項１】
屋根の流れ方向に直交する横方向に並んで配置された複数の垂木と、前記垂木に貫通固定具を用いて固定されると共に、前記垂木上に継ぎ目を有する野地板と、前記野地板の上にルーフィング材を介して横葺きされた屋根材と、を備えた勾配屋根の改修方法であって、
前記屋根材及び前記ルーフィング材の一部を切除して、前記継ぎ目を含む前記野地板の上面を横一直線状に露出させる切除工程と、
前記継ぎ目から前記垂木の位置を特定する垂木特定工程と、
前記屋根材の上面を含む屋根面全体を新規ルーフィング材で覆うルーフィング材設置工程と、
前記新規ルーフィング材の上から、新規屋根材の支持金物を前記垂木特定工程によって特定された前記垂木の位置に合わせて載せる位置合わせ工程と、
前記垂木を下地として貫通固定具で前記支持金物を固定する支持金物設置工程と、
前記支持金物を用いて前記屋根面全体に前記新規屋根材を葺く屋根材設置工程と、を含むことを特徴とする勾配屋根の改修方法。
【請求項２】
前記支持金物は長尺部材からなり、
前記支持金物設置工程では、横一直線状に露出された野地板の露出面に沿って配置された支持金物を垂木に固定することを特徴とする請求項１記載の勾配屋根の改修方法。
【請求項３】
前記支持金物に下地として架台を前記新規屋根材上に固定し、前記架台に屋根上設置物を固定することを特徴とする請求項１または２記載の勾配屋根の改修方法。
【請求項４】
長手方向に直交する横方向に並んで配置された複数の垂木と、前記垂木に貫通固定具を用いて固定されると共に、前記垂木上に継ぎ目を有する野地板と、前記野地板の上に下層ルーフィング材を介して横葺きされた複数の下層屋根材と、を備えた勾配屋根であって、
前記下層屋根材及び前記下層ルーフィング材を避け、前記継ぎ目を含む横一直線状の領域として形成された前記野地板の露出部と、
前記屋根材の上面を含む屋根面全体を覆う上層ルーフィング材と、
前記上層ルーフィング材を介して前記露出部上に配置されると共に、前記継ぎ目に対応する前記垂木を下地として貫通固定具で固定された上層屋根材の支持金物と、
前記支持金物に固定されると共に、前記屋根面全体を覆う上層屋根材と、を備えたことを特徴とする勾配屋根。
【発明の詳細な説明】
【技術分野】
【０００１】
本発明は、勾配屋根の改修方法、及び該方法によって改修された勾配屋根に関する。
【背景技術】
【０００２】
瓦等の屋根材を葺いた既存の勾配屋根の改修方法として、既存の屋根材を除去せずに、既存の屋根材の上にタイトフレーム等の屋根材の支持金物を固定し、この金物を利用して屋根材を新たに葺く、いわゆるカバー工法というものが知られている。この工法は、既存の屋根材の撤去作業を省くことができ、また廃棄物の発生も抑えることができるという点で有効な改修方法である。
【０００３】
しかし、この工法では、凹凸のある既存屋根材の上に新規屋根材の支持金物を設置することになるので安定性に欠けるという問題がある。また、支持金物を堅固に固定する為には、釘やビスの利き難い薄板状の野地板よりも、厚みのある垂木や母屋等に固定するのが好ましいが、上記の工法では既存屋根材の上から新規屋根材の支持金物を設置することになるので支持金物を垂木や母屋等に固定することは困難である。
【０００４】
一方、特許文献１には、例えば、既存の瓦及び葺き土を部分的に除去して野地板を露出させ、露出した野地板の平坦面に支持金物を配置して垂木や母屋等に固定し、その支持金物に新たに垂木を固定すると共に新たな野地板を敷設し、新たに敷設された野地板上に新規の瓦を固定するという瓦の葺き替え方法が開示されている。
【０００５】
この方法では、凹凸のある瓦上にではなく、平坦な野地板上に直接に支持金物を配置することになるので、野地板を介して支持金物を垂木や母屋に固定することが可能になり、カバー工法の弱点を補って、支持金物を安定的且つ堅固に固定することができる。
【先行技術文献】
【特許文献】
【０００６】
【特許文献１】特開平０６−３４１８６５号公報
【発明の概要】
【発明が解決しようとする課題】
【０００７】
しかしながら、例えば、上記の瓦の葺き替え方法では、垂木や母屋の上に野地板が存在していることもあって、実際には、垂木や母屋の位置の特定は難しく、例えば、玄能（げんのう）等で野地板の表面を打撃した際の音の響き方や玄能を持った手に伝わる衝撃の強さなど、作業者の感覚に頼って垂木等の位置を特定するしかなく、正確な特定は困難である。しかも、既存の瓦及び葺き土を除去した位置に運よく垂木や母屋が存在すればよいが、存在しなかった場合には、既存の瓦及び葺き土の除去を繰り返し行わなければならず手間がかかる、という問題もある。
【０００８】
本発明はこのような課題を解決し、屋根材の支持金物を確実に垂木に固定することで支持金物の堅固な固定が可能になる勾配屋根の改修方法、及び勾配屋根を提供することを目的とする。
【課題を解決するための手段】
【０００９】
本発明は、屋根の流れ方向に直交する横方向に並んで配置された複数の垂木と、垂木に貫通固定具を用いて固定されると共に、垂木上に継ぎ目を有する野地板と、野地板の上にルーフィング材を介して横葺きされた屋根材と、を備えた勾配屋根の改修方法であって、屋根材及びルーフィング材の一部を切除して、継ぎ目を含む野地板の上面を横一直線状に露出させる切除工程と、継ぎ目から垂木の位置を特定する垂木特定工程と、屋根材の上面を含む屋根面全体を新規ルーフィング材で覆うルーフィング材設置工程と、新規ルーフィング材の上から、新規屋根材の支持金物を垂木特定工程によって特定された垂木の位置に合わせて載せる位置合わせ工程と、垂木を下地として貫通固定具で支持金物を固定する支持金物設置工程と、支持金物を用いて屋根面全体に新規屋根材を葺く屋根材設置工程と、を含むことを特徴とする。
【００１０】
本発明での改修対象となる勾配屋根では、野地板の継ぎ目を確認できれば必然的に垂木の位置を特定できる。そして、屋根材及びルーフィング材の一部を切除して野地板の継ぎ目を露出させるので、垂木位置を精度良く特定でき、その結果、支持金物を垂木に確実に固定できて支持金物の堅固な固定が可能になる。特に、野地板の上面を横一直線状に露出させるので、実質的には、横方向に並ぶ複数の垂木のいずれかに対応した継ぎ目を出現させ易くなり、垂木の位置を効率よく特定できる。
【００１１】
さらに、支持金物は長尺部材からなり、支持金物設置工程では、横一直線状に露出された野地板の露出面に沿って配置された支持金物を垂木に固定すると好適である。横方向に並んで隣接する垂木と協働して吹き上げ力に対抗できるので、支持金物の固定を、より堅固に固定することができる。
【００１２】
さらに、支持金物を下地として架台を新規屋根材上に固定し、架台に屋根上設置物を固定すると好適である。改修に合わせて太陽光発電等の屋根上設置物を設置する際に、新規屋根材の支持金物を利用することで合理的、且つ堅固に固定することができる。
【００１３】
また、本発明は、長手方向に直交する横方向に並んで配置された複数の垂木と、垂木に貫通固定具を用いて固定されると共に、垂木上に継ぎ目を有する野地板と、野地板の上に下層ルーフィング材を介して横葺きされた複数の下層屋根材と、を備えた勾配屋根であって、下層屋根材及び下層ルーフィング材を避け、継ぎ目を含む横一直線状の領域として形成された野地板の露出部と、屋根材の上面を含む屋根面全体を覆う上層ルーフィング材と、上層ルーフィング材を介して露出部上に配置されると共に、継ぎ目に対応する垂木を下地として貫通固定具で固定された上層屋根材の支持金物と、支持金物に固定されると共に、屋根面全体を覆う上層屋根材と、を備えたことを特徴とする。本発明では、支持金物が垂木に堅固に固定された上層屋根材を有する勾配屋根とすることができる。
【発明の効果】
【００１４】
本発明によれば、屋根材の支持金物を確実に垂木に固定することで支持金物の堅固な固定が可能になる。
【図面の簡単な説明】
【００１５】
【図１】本発明の実施形態に係る改修方法によって改修された後の勾配屋根の一部を破断して示す斜視図である。
【図２】図１のＩＩ−ＩＩ線に沿った断面図である。
【図３】本発明の実施形態に係る改修方法によって改修された勾配屋根の軒先部を拡大して示す断面図である。
【図４】本発明の実施形態に係る改修方法の手順を示すフローチャートである。
【図５】改修後の勾配屋根の上に太陽光発電装置を設置した態様を示す断面図である。
【発明を実施するための形態】
【００１６】
以下、本発明の好適な実施形態について図面を参照しながら説明する。
【００１７】
まず、図１、及び図３を参照して改修前の既存の勾配屋根について説明する。既存の勾配屋根１は、棟木（不図示）から軒桁（不図示）にかけて斜めに取り付けられた複数の垂木３を備えている。なお、本実施形態では、棟木から軒桁にかけて下り勾配を形成する方向を屋根の流れ方向Ｄａとし、この流れ方向Ｄａに直交する方向を横方向Ｄｂとして説明する。
【００１８】
垂木３は木質系材料、または軽量形鋼等の鋼材などからなり、基端（上端）側が棟木に支持されており、先端（下端）側が軒桁に支持されている。屋根の流れ方向Ｄａに沿って延在する複数の垂木３は、横方向Ｄｂに等間隔で、且つ略平行となるように並んで配置されており、野地板５を下方から支持している。
【００１９】
野地板５は、屋根下葺材となるルーフィング材７や屋根材９が葺かれる面を構成する。野地板５は、構造用合板等の木質系の板材からなり、複数の板材同士の継ぎ目５ａが丁度、垂木３上となるように配置されており、適宜に垂木３に釘などの貫通固定具４で固定されている。
【００２０】
垂木３の先端側には、垂木３の先端部を覆い隠す鼻隠し（「鼻板」ともいう）１１が取り付けられている。鼻隠し１１は構造用合板等の木質系の板材からなり、鼻隠し１１の先端（下端）には、適宜に軒樋（不図示）が設けられている。
【００２１】
野地板５上には、二次防水層を形成するシート状のルーフィング材（下層ルーフィング材）７が設置されている。ルーフィング材７は、アスファルトフェルトの両面にアスファルトをコーティングし、さらに、その表面に鉱物質粉粒を付着させて形成されるアスファルトルーフィングからなる。なお、ルーフィング材７に用いられるアスファルトフェルトは、原紙にアスファルトを含浸させ、合成繊維不織布で補強されたものが一般に使用される。ルーフィング材７は、タッカー等で野地板５に貼設されている。
【００２２】
ルーフィング材７の上には、一次防水層を形成する板状の屋根材９が設置されている。屋根材９は、繊維質材料とセメントとを主原料とする５ｍｍ〜１５ｍｍ程度の板材からなり、野地板５に対して釘などの貫通固定具（不図示）を用いて固定されている。一次防水層は、複数の屋根材９から形成されており、複数の屋根材９は、一部分が三重に重なるように横葺きされている。
（勾配屋根の改修方法）
【００２３】
次に、既存の勾配屋根１の改修方法について図１〜図４を参照して説明する。最初に、屋根の流れ方向Ｄａに沿った所定の高さ、つまり新規屋根材２０用の支持金物２１が割り付けられる高さ（位置）に対応して既存の屋根材９、及び既存のルーフィング材７を鋸やカッターナイフ等を用いて横一列切除し、野地板５が横一直線状に露出した野地板露出面５ｂを形成する（ステップＳ１）。ステップＳ１は、切除工程に相当する。
【００２４】
次に、野地板露出面５ｂを目視にて確認し、野地板５の継ぎ目５ａを探す。この継ぎ目５ａとは、野地板５の左右端の継ぎ目５ａ、つまり縦方向の継ぎ目５ａを意図している。野地板５の継ぎ目５ａは垂木３上に配置されているため、継ぎ目５ａを見つけ出すことができれば、垂木３の位置を特定することができる。つまり、野地板露出面５ｂ内に出現した継ぎ目５ａを確認し、確認した継ぎ目５ａから垂木３の位置を特定する（ステップＳ２）。なお、上記の切除工程において、既存の屋根材９、及び既存のルーフィング材７を横一列切除して野地板５の上面を横一直線状に露出させるので、実質的には、横方向Ｄｂに並ぶ複数の垂木３のいずれかに対応する継ぎ目５ａを出現させ易くなり、垂木３の位置を効率よく特定できる。
【００２５】
なお、既存の勾配屋根１では、全ての垂木３が野地板５の継ぎ目５ａの下方に存在するわけではない。そこで、次に、野地板５の継ぎ目５ａから特定される垂木（代表垂木）３以外の垂木（他の垂木）３を特定する（ステップＳ３）。例えば、複数の垂木３は等間隔で配置されているので、左右の代表垂木３を特定できれば、その間に配置された一、または複数の他の垂木３の位置は容易に当たりをつけることができ、代表垂木３から他の垂木３の位置を間接的に特定することができる。なお、野地板５が他の垂木３に釘等の貫通固定具４で固定されている場合には、貫通固定具４の頭部を探し出すことで他の垂木３の位置を特定することもできる。ステップＳ２の工程及びステップＳ３の工程は、垂木特定工程に相当する。
【００２６】
次に、既存の屋根材９の上面、及び野地板露出面５ｂを含む屋根面全体を新規ルーフィング材（上層ルーフィング材）２３で覆う（ステップＳ４）。新規ルーフィング材２３は、既存のルーフィング材（下層ルーフィング材）７と同じ素材であってもよいし、異なる素材であってもよく、新たな二次防水層として機能するものであれば足りる。ステップＳ４は、ルーフィング材設置工程に相当する。
【００２７】
次に、新規ルーフィング材２３の上から、新規屋根材２０の支持金物２１を野地板露出面５ｂに収まるように載せる（ステップＳ５）。支持金物２１は、新規屋根材２０の位置決め及び固定の下地となるタイトフレームなどであり、新規屋根材２０の凹凸形状に対応した凹凸を有する長尺部材からなる（図２参照）。支持金物２１は、釘やねじなどの貫通固定具２５で留め付けられる部位が上記のステップＳ２やステップＳ３で特定された垂木３の位置に合わせて配置される。ステップＳ５は、位置合わせ工程に相当する。
【００２８】
次に、支持金物２１を所定位置に固定する（ステップＳ６）。支持金物２１は、横一直線状に露出された野地板露出面５ｂに沿って配置されており、垂木３を下地として貫通固定具２５によって支持金物２１を固定する。その結果、支持金物２１を定位置に堅固に固定できる。なお、垂木３が存在しない部位においては、野地板５を下地として貫通固定具２５によって支持金物２１を固定する。ステップＳ６は、支持金物設置工程に相当する。
【００２９】
次に、支持金物２１の割り付けに基づいて新規屋根材２０を敷設し、釘やねじ等の貫通固定具２７（図２参照）を用いて支持金物２１を下地として新規屋根材２０を定位置に固定する（ステップＳ７）。新規屋根材２０は長尺部材であり、例えば、鋼板等の金属板をプレス加工して陶器瓦あるいは洋瓦風の意匠を施した大判の金属瓦などである。新規屋根材２０は長手方向が横方向Ｄｂを向き、複数の新規屋根材２０が上下に並べられて上下端の継ぎ目（水平方向の継ぎ目）２０ａが支持金物２１上となるように設置される。ステップＳ７は、屋根材設置工程に相当する。
【００３０】
以上の改修方法によって新たな勾配屋根１Ａが形成される。新たな勾配屋根１Ａは、既存部分として、屋根の流れ方向Ｄａに直交する横方向Ｄｂに並んで配置された複数の垂木３と、垂木３に貫通固定具２５を用いて固定されると共に、垂木３上に継ぎ目５ａを有する野地板５と、野地板５の上にルーフィング材（下層ルーフィング材７）７を介して横葺きされた屋根材（下層屋根材）９と、を備える。さらに、改修部分として、既存の屋根材９及び既存のルーフィング材７を避け、継ぎ目５ａを含む横一直線状の領域として形成された野地板露出面（野地板５の露出部）５ｂと、既存の屋根材９の上面を含む屋根面全体を覆う新規ルーフィング材（上層ルーフィング材７）２３と、新規ルーフィング材２３を介して野地板露出面５ｂ上に配置されると共に、野地板５の継ぎ目５ａに対応する垂木３を下地として貫通固定具２５で固定された新規屋根材２０（上層屋根材）２０の支持金物２１と、支持金物２１に固定されると共に、屋根面全体を覆う新規屋根材２０と、を備えている。本実施形態に係る勾配屋根１Ａは、支持金物２１が垂木３に堅固に固定された新規屋根材２０を有する屋根を実現する。
【００３１】
次に、本実施形態に係る勾配屋根１の改修方法の作用、効果について説明する。上述の既存の勾配屋根１では、野地板５の継ぎ目５ａを確認できれば必然的に垂木３の位置を特定できる。そして、屋根材９及びルーフィング材７の一部を切除して野地板５の継ぎ目５ａを露出させるので、垂木位置を精度良く特定でき、その結果、支持金物２１を垂木３に確実に固定できて支持金物２１の堅固な固定が可能になる。特に、野地板５の上面を横一直線状に露出させるので、実質的には、横方向Ｄｂに並ぶ複数の垂木３のいずれかに対応する継ぎ目５ａを出現させ易くなり、垂木３の位置を効率よく特定できる。
【００３２】
また、既存の屋根材９の除去範囲を最小限度に留めることに有効であり、作業の手間と廃棄物の発生を抑えつつ、支持金物２１を、垂木３を下地として確実に固定することができる。
【００３３】
また、凹凸があって工事中に割れる恐れもある既存の屋根材９を介さずに、平坦な野地板露出面５ｂに支持金物２１が載置されるので長期的に安定した固定状態を維持することができる。
【００３４】
また、本実施形態では、長尺部材からなる支持金物２１は、横一直線状に露出された野地板露出面５ｂに沿って配置されており、その状態で垂木３に固定されるので、横方向Ｄｂに並んで隣接する垂木３と協働して吹き上げ力に対抗できるものとなり、支持金物２１を、より堅固に固定することができる。
（他の実施形態）
【００３５】
次に、本発明の他の実施形態に係る改修方法について、図５を参照して説明する。なお、上述のステップＳ１〜ステップＳ７の工程は共通するので、詳細な説明は省略する。
【００３６】
本実施形態では、新規屋根材２０の横葺きと同時に、または新規屋根材２０を横葺きした後で太陽光発電装置（屋根上設置物）２９を搭載させる。ここで、まず、太陽光発電装置２９を支える架台３１を、支持金物２１を下地として固定する。その後、架台３１に太陽光発電装置２９を設置する。本実施形態によれば、改修に合わせて太陽光発電装置２９を設置する際に、新規屋根材２０の支持金物２１を利用することで合理的、且つ堅固に固定することができる。
【００３７】
なお、新規屋根材２０を横葺きした後で架台３１を支持金物２１に設置する場合において、支持金物２１は新規屋根材２０の上下端の継ぎ目２０ａの位置に存在するので、新規屋根材２０の継ぎ目２０ａから支持金物２１の位置を容易に特定できる。
【００３８】
以上、本発明を各実施形態に基づいて説明したが、本発明は以上の実施形態のみに限定されない。例えば、上記の実施形態では、支持金物を新規ルーフィング材の上に直接に載せるようにした態様を説明したが、新規屋根材の凹凸形状に合わせるために高さ調整用のスペーサ部材を支持金物の下に敷き、スペーサ部材、新規ルーフィング材、野地板を貫通して垂木に到達する貫通固定具によって支持金物を垂木に固定するようにしてもよい。また、屋根上設置物は太陽光発電装置に限定されず、例えば、太陽熱温水器など、その他の装置であってもよい。
【符号の説明】
【００３９】
１…既存の勾配屋根、１Ａ…改修後の勾配屋根、３…垂木、４…貫通固定具、５…野地板、５ａ…継ぎ目、５ｂ…野地板露出面（野地板の露出部）、７…ルーフィング材（下層ルーフィング材）、９…屋根材（下層屋根材）、２０…新規屋根材（上層屋根材）、２０ａ…継ぎ目、２１…支持金物、２３…新規ルーフィング材（上層ルーフィング材）、２５…支持金物の貫通固定具、２７…新規屋根材の貫通固定具、２９…太陽光発電装置（屋根上設置物）、３１…架台、Ｄａ…屋根の流れ方向、横方向Ｄｂ。
【図１】
0005580181.tif 000002
【図２】
0005580181.tif 000003
【図３】
0005580181.tif 000004
【図４】
0005580181.tif 000005
【図５】
0005580181.tif 000006